(57)【特許請求の範囲】
【請求項１】
空間スイッチと時間スイッチとコールウェイトトランクとを含むディジタル交換機に於いて、
前記空間スイッチの中継線側に自局内折り返し用の時間スイッチを接続し、該時間スイッチは、一次スイッチと二次スイッチと位相調整用メモリとを有し、少なくとも前記一次スイッチと前記二次スイッチとの間に前記位相調整用メモリを介して前記空間スイッチに対して折り返し、前記コールウェイトトランクに接続する構成を有する
ことを特徴とするディジタル交換機。
【請求項２】
前記自局内折り返し用の時間スイッチは、前記一次スイッチと前記二次スイッチとの何れか一方又は両方のタイムスロットの入替えにより、前記位相調整用メモリに対するライトフレーム信号位相を制御して、前記空間スイッチに対する位相整合を行う構成を有することを特徴とする請求項１記載のディジタル交換機。
【発明の詳細な説明】
【０００１】
【産業上の利用分野】
本発明は、空間スイッチと時間スイッチとコールウェイトトランクとを含む構成のディジタル交換機に関するものである。
【０００２】
【従来の技術】
電話交換機に於ける接続制御は、自局内の加入者と中継線を介した相手加入者との間を接続する場合と、自局内の加入者間を接続する場合とがあり、それぞれ異なるソフトウェアにより制御する場合が一般的であるが、共通化した形式とすることが望ましいものである。又キャッチホンと称される特殊サービスを提供する場合は、専用のソフトウェア用いることなく、中継線接続のソフトウェアを流用することが知られている。
【０００３】
図９は、従来のディジタル交換機に於けるキャッチホン呼の接続の概要を示すものであり、１１は中継線との接続を行う為の中継線信号処理接続装置（ＴＳＣ）、１２，１３，１４は同一ハイウェイ上のタイムスロットの入替えを行う為の時間スイッチ（ＴＳＷ）、１５はハイウェイ相互間のタイムスロットの乗せ替えを行う為の空間スイッチ（ＨＳＷ）、１６，１７は加入者線との接続を行う為の加入者線信号処理接続装置（ＬＳＣ）、１８，１９は加入者を接続する為の加入者回路、２０はキャッチホン用トランクであるコールウェイトトランク（ＣＷＴ）である。以下略号と符号とを用いて説明する。
【０００４】
図９に於いて、加入者Ａ，Ｂが自局内接続による通話中に、例えば、加入者Ａに対して第三者からの着信があった場合、前述のキャッチホンサービスは、加入者Ａ，Ｂを接続状態に保ちながら、加入者Ａに対して、着信表示音を送出するもので、加入者Ａをキャッチホン用トランクであるＣＷＴ２０の加入者線側のポートに接続すると共に、加入者Ｂに対しては、ＴＳＣ１１を介して折り返すことによって、ＣＷＴ２０の中継線側のポートに接続し、仮想ＩＯＴ（自局内トランク）接続構成とする。この場合に於けるＴＳＣ１１での折り返しは、折り返しコネクタを使用して、点線で示すように中継線を物理的に折り返す方式が適用されている。
【０００５】
【発明が解決しようとする課題】
中継線信号処理接続装置（ＴＳＣ）１１は、通常、入出力に４ハイウェイ（ＨＷ）を有しており、これを折り返しコネクタによって接続して折り返す為、４ＨＷが同時に折り返されることになる。従って、１ＨＷが３０回線であるとして、１２０回線が、ＣＷＴ２０に接続する為に折り返されることになる。
【０００６】
本来、ＴＳＣに接続される回線は、中継線呼に使用されるものであって、これが特殊サービスの為に使用された場合には、上述のように大部分の回線が使用されないことになって不経済である。換言すれば、特殊サービスを提供する為に、ＴＳＣの装置数分の中継線容量が減少することになるという問題がある。
【０００７】
本発明は、従来の問題点を解決するもので、空間スイッチと時間スイッチとコールウェイトトランクとを含むディジタル交換機に於いて、中継線側の回線容量を減少させることなく、コールウェイトトランクを用いたサービスを提供することを目的とする。
【０００８】
【課題を解決するための手段】
本発明は、図１を参照すると、空間スイッチと時間スイッチとコールウェイトトランクとを含むディジタル交換機の空間スイッチ１の中継線側に自局内折り返し用の時間スイッチ２を接続し、この時間スイッチ２は、一次スイッチ４と二次スイッチ３と位相調整用メモリ５とを有し、少なくとも一次スイッチ４と二次スイッチ４との間に位相調整用メモリ５を介して、空間スイッチ１に対して折り返し、コールウェイトトランク(図示を省略)に接続する構成を有するものである。
【０００９】
又自局内折り返し用の時間スイッチ２は、一次スイッチ５と二次スイッチ４との何れか一方又は両方のタイムスロットの入替えにより、位相調整用メモリ５に対するライトフレーム信号位相を制御して、空間スイッチ１に対する位相整合を行う構成を有するものである。
【００１０】
【作用】
図２を参照すると、１１は中継線との接続を行う為の中継線信号処理接続装置（ＴＳＣ）、１２，１３，１４は同一ハイウェイ上のタイムスロットの入替えを行う為の時間スイッチ（ＴＳＷ）、１５はハイウェイ相互間のタイムスロットの乗せ替えを行う為の空間スイッチ（ＨＳＷ）、１６，１７は加入者線との接続を行う為の加入者線信号処理接続装置（ＬＳＣ）、１８，１９は加入者を接続する為の加入者回路、２０はキャッチホン用トランクであるコールウェイトトランク（ＣＷＴ）、２１は自局内折り返し専用の時間スイッチ（ＴＳＷ）を示し、（１），（２）は、図１の空間スイッチ１と自局内折り返し用の時間スイッチ２とに対応することを示している。
【００１１】
本発明は、従来のＴＳＣ１１に於いて折り返しコネクタにより折り返し接続を行うものではなく、自局内折り返し用の時間スイッチ（ＴＳＷ）２１により折り返しを行って、コールウェイトトランク（ＣＷＴ）２０と接続するものである。この場合、折り返し専用の時間スイッチ（ＴＳＷ）２１を構成する上で問題となるのは、位相整合である。ディジタル交換機内の各部に於いては、メインクロックに対しての位相差が規定されており、その為、各装置間に於ける位相調整能力は比較的小さく設定され、通常、１６クロック程度である。
【００１２】
一方、従来例に於けるＴＳＣ１１による折り返しは、ＴＳＣ１１が伝送装置とのインタフェースとなる為、位相調整能力が大きく、一般に１フレーム（例えば２Ｍハイウェイの場合４０９６クロック）分用意されている。それにより、ＴＳＣ１１を用いて自局内の接続経路を形成する従来の方式では、位相差の調整が問題になることはなかった。
【００１３】
しかし、自局内折り返し用の時間スイッチ（ＴＳＷ）２１於いて折り返しを行う為には、その自局内折り返し用の時間スイッチ（ＴＳＷ）２１を従来と同じ構成とすると、約４０００クロック分の位相調整が必要になる。位相調整の為に一般的なエラスティックストアメモリ（ＥＳＭ）を使用すると、４０００クロックの位相調整を可能にする為には、大容量のＥＳＭが必要となって現実的でない。
【００１４】
これに対して、本発明は、自局内折り返し用の時間スイッチ（ＴＳＷ）２１に於いてタイムスロット位置の入れ替えを行うことにより、少ないＥＳＭ容量で、大きな位相調整能力を持つことを可能とする。具体的には、図１に示すように、一次スイッチ４と位相調整用メモリ５と二次スイッチ３とを含む自局内折り返し用の時間スイッチ（ＴＳＷ）２１に於いて、ある音声情報の流れの方向について、空間スイッチ１の前段の時間スイッチである一次スイッチ４、又は後段の時間スイッチである二次スイッチ３により、又は一次スイッチ４と二次スイッチ３との両方によって、タイムスロット位置を補正するものであり、大幅な位相調整を行うことができる。
【００１５】
【実施例】
図３は、本発明の一実施例の概要及び作用の説明図であり、図１に於ける自局内折り返し用の時間スイッチ２及び図２に於ける時間スイッチ（ＴＳＷ）２１の構成を示すもので、１５は図１に於ける空間スイッチ１又は図２に於ける空間スイッチ（ＨＳＷ）１５に対応する空間スイッチ（ＨＷＳ）、２５，２６は図１に於ける位相調整用メモリ５に対応するエラスティックメモリ（ＥＳＭ）、２７は時間スイッチの一次側を構成する一次スイッチ（一次ＳＷ）、２８は時間スイッチの二次側を構成する二次スイッチ（二次ＳＷ）、２９，３０は時間スイッチを制御する為の時間スイッチ制御メモリ（ＳＣＭ）、３１は空間スイッチを制御する為の空間スイッチ制御メモリ（ＨＣＭ）、３２は各スイッチ制御メモリを介してそれぞれのスイッチを制御する為のスイッチ制御回路（ＳＷＣ）を示す。なお、点線で示すＨＳＷ１５，ＨＣＭ３１，ＳＷＣ３２は、ＴＳＷ２１とは別装置となることを示し、又（１），（２），（３），（４），（５）は、それぞれ図１に於ける空間スイッチ１、自局内折り返し用の時間スイッチ２、二次スイッチ３、一次スイッチ４、位相調整用メモリ５に対応することを示す。
【００１６】
又１フレームを４０９６ビットとし、１タイムスロットを８ビット構成とすると、１フレームは、５１２タイムスロットからなるデータ構成となる。そして、ＥＳＭ２５，２６と二次ＳＷ２８との出力データの位相を、０／４０９６を基準位相として、例えば、図示のように、それぞれ４３３／４０９６，４８２／４０９６，５１０／４０９６とした場合を示す。
【００１７】
図４は、自局内折り返し用の時間スイッチ（ＴＳＷ）に於けるタイミングの一例の説明図であり、２ビット幅のフレームタイミング信号と、タイムスロットとの関係により位相調整が可能であることを示すものである。前述のように、１フレームを４０９６ビットとし、８ビットからなる５１２個のタイムスロットＴＳ０００〜ＴＳ５１１についての一部分を示し、Ａは、図３に於ける二次スイッチ２８の出力データとフレームタイミング信号の一例、Ｂは、図３に於けるＥＳＭ２５に書き込むデータとライトフレームタイミング信号の一例、Ｃは、図３に於ける一次スイッチ２５から読み出したデータとリードフレームタイミング信号の一例をそれぞれ示す。なお、フレームタイミング信号は、ディジタル交換機内の各部に於いて共通又は異なるタイミングとすることができるものである。
【００１８】
二次スイッチ２８の出力データＡのフレームタイミング信号の立ち上がりタイミングは、タイムスロットＴＳ０００の００００ビット位置の場合を示し、これを基準フレームタイミング０／４０９６と表すことができる。この基準フレームタイミングから５１０タイムスロット遅延させたフレームタイミングは、Ｂで示すように、ＥＳＭ２５のライトフレームタイミングとなる。この場合のライトフレームタイミング信号は、タイムスロットＴＳ５０１の先頭の４００８／４０９６となる。又このライトフレームタイミング信号から１１タイムスロット分遅延させると、Ｃで示すように、ＥＳＭ２５のリードフレームタイミング信号となる。この場合、タイムスロットＴＳ０００の先頭の４００８／４０９６のフレームタイミングとなり、タイムスロットＴＳ５０１のビット４００８を、タイムスロットＴＳ０００のビット４００８として読み出すことができることを示している。
【００１９】
図５は、自局内折り返し用の時間スイッチ（ＴＳＷ）２１の二次スイッチ２８（図３参照）の読み出しによる位相整合時のハイウェイタイミングの例を示すもので、図３に於けるＡで示す二次ＳＷ２８の出力データを、Ｂで示すＥＳＭ２５に書き込む場合のデータは、Ｃで示すＥＳＭ２５の出力データに対して、５１０／４０９６−４３３／４０９６＝７７／４０９６遅れている。各ＥＳＭの位相調整能力は、例えば、前述のように、１６／４０９６であって、この遅れを調整することができない。そこで、ＥＳＭ２５へのライトフレームタイミング信号として、Ａに示す二次ＳＷ２８の出力のフレームタイミング信号を使用せずに、基準フレームに対して例えば４２２／４０９６の位相になるフレームタイミング信号を用い、これをライトフレームタイミング信号として書き込みを行う。それにより、図５のＢのライトフレームタイミング信号は、タイムスロットＴＳ５０１の００００ビット位置となる。
【００２０】
即ち、二次ＳＷ２８に対するＳＣＭ３０のアドレス制御によって、ＴＳ５０１の００００ビット位置にデータが出力されるように制御して、ＥＳＭ２５の出力が、Ｃで示すように、リードフレームタイミング信号を、タイムスロットＴＳ０００の００００ビット位置とすることができる。
【００２１】
又ＳＣＭ３０は、ＳＷＣ３２によって制御されるものであり、自局内折り返し用の時間スイッチ（ＴＳＷ）２１を認識して、前述のアドレス制御を、「正規のＴＳ＋５０１」として行うことになる。この自局内折り返し用の時間スイッチ（ＴＳＷ）２１の認識は、例えば、局データに設定しておいて、ＳＷＣ３２の初期設定時に、自局内折り返し用の時間スイッチ（ＴＳＷ）２１の実装状態通知命令として、ＳＷＣ３２に通知することにより実現することができる。従って、図３に示す構成に於ける二次スイッチ２８を制御することにより、図５に示すように位相調整を行うことができる。
【００２２】
図６は、自局内折り返し用の時間スイッチ（ＴＳＷ）２１の一次スイッチ２７（図３参照）の読み出しによる位相整合時のハイウェイタイミングの例を示すもので、Ａ，Ｂ，Ｃは、図５のＡ，Ｂ，Ｃに対応するものである。図６に於いて、二次ＳＷ２８の出力を、Ｂで示すタイムスロットＴＳ５０１の４０８０ビット位置のライトフレームタイミング信号として一次側のＥＳＭ２５に書き込み、Ｃで示すリードフレームタイミング信号により、タイムスロットＴＳ０００の００００ビット位置として読み出し、一次ＳＷ２７により、タイムスロットＴＳ０００の００００ビット位置にデータをＨＳＷ１５に入力することができる。
【００２３】
即ち、一次ＳＷ２７に対するＳＣＭ２９のアドレス制御を、ＴＳ０１１をＴＳ０００とすることによって、一次ＳＷ２７の出力を、前述のように、タイムスロットＴＳ０００の００００ビット位置とすることができる。この時のＳＣＭ２９のアドレス制御は、ＳＷＣ３２に於いて、「入力のＴＳ−１１」の制御を行うことによって可能となる。従って、図３に示す構成に於いて、図６に示す制御を、一次ＳＷ２７側で行うことによっても、自局内折り返し用の時間スイッチ（ＴＳＷ）２１の機能を実現することができる。
【００２４】
又自局内折り返し用の時間スイッチ（ＴＳＷ）２１を実現する為の位相制御は、一次ＳＷ２７と、二次ＳＷ２８の両方の時間スイッチ制御メモリＳＣＭ２９，ＳＣＭ３０に於けるアドレス制御を行うことによっても実現できる。例えば、自局内折り返し用の時間スイッチ（ＴＳＷ）２１は、３２Ｍ×８ＨＷを多重してスイッチングするので、一次ＳＷ２７，二次ＳＷ２８でのＳＣＭアドレス制御を同じにすることができる。この場合は、ＳＷＣ３２でのＳＣＭアドレス制御が簡単になる。
【００２５】
図７は、ＳＣＭアドレスとハイウェイタイミングとの対応を例示したもので、８ＨＷを多重する場合のＳＣＭアドレスと、制御される各ハイウェイ０ＨＷ〜７ＨＷ、及び各タイムスロット０ＴＳ〜５１１ＴＳとの対応を示す。即ち、ＳＣＭアドレス００００は、０ＨＷ，０ＴＳを示し、ＳＣＭアドレス４０９５は、７ＨＷ，５１１ＴＳを示すもので、８ハイウェイ多重した後、２００４ＴＳ分遅らせると、０ＨＷ，０ＴＳは、４ＨＷ，ＴＳ２５０となる。
【００２６】
そこで、８８ＴＳ分の遅延を含む場合に、自局内折り返し用の時間スイッチ（ＴＳＷ）２１の一次ＳＷ２７，二次ＳＷ２８で同じように２００４ＴＳ遅らせると、一次ＳＷ２７の出力側は、基準位相としての０００ＴＳとなる。この場合のＳＣＭ２９，３０は同一のアドレス制御内容となる。
【００２７】
図８は、前述の一次スイッチと二次スイッチとによる位相整合時のタイムスロット変換を示し、（ａ）は、図３に於ける空間スイッチＨＳＷ１５と、自局内折り返し用の時間スイッチ２１の一次スイッチ２７と二次スイッチ２８との接続状態を示し、位相調整用メモリ（ＥＳＭ）２５，２６は図示を省略している。又（ｂ）は各部に於けるハイウェイＨＷとタイムスロットＴＳの変換を示す。
【００２８】
折り返しにより１１タイムスロットの遅延として、ＴＳ＋１１として示し、従って、０ＨＷの０００ＴＳが、０ＨＷの０１１ＴＳとなり、又４ＨＷの２５０ＴＳが、４ＨＷの２６１ＴＳとなることを示し、又一次ＳＷ２７により、８ＨＷ多重したタイムスロットを、前述のように、２００４タイムスロット分の位相調整を行うと、０ＨＷの０００ＴＳが、４ＨＷの２５０ＴＳとなり、同様に、４ＨＷの２６１ＴＳが、０ＨＷの０００ＴＳとなる。又二次ＳＷ２８により、８ＨＷ多重したタイムスロットを、一次ＳＷ２７と同様に、８ＨＷ多重したタイムスロットを２００４タイムスロット分の位相調整を行うと、０ＨＷの０００ＴＳが、４ＨＷの２５０ＴＳとなり、４ＨＷの２５０ＴＳが、０ＨＷの５０１ＴＳとなる。即ち、ＳＣＭ２９，３０をＳＷＣ３２から同一のアドレス制御内容で制御することにより、自局内折り返し用の時間スイッチに於ける制御が可能となる。
【００２９】
【発明の効果】
以上説明したように、本発明は、ディジタル交換機に於けるキャッチホンサービスを、中継線側の回線容量を減少させることなく、自局内折り返し用の時間スイッチ（ＴＳＷ）２，２１と、コールウェイトトランク（ＣＷＴ）２０とを用いて提供することができるものである。その場合に、自局内折り返し用の時間スイッチ（ＴＳＷ）２，２１を、一次スイッチ３，４と位相調整用メモリ５とを含む構成とし、一次スイッチ３又は二次スイッチ４或いは両方を制御して位相調整を行うことにより、メモリ容量を増大させる必要がない利点がある。
【図面の簡単な説明】
【図１】  本発明の原理的構成を示す図である。
【図２】  本発明の作用を説明するための図である。
【図３】  本発明の一実施例のＩＯＴ用ＴＳＷの構成を示す図である。
【図４】  ＩＯＴ用ＴＳＷのハイウェイタイミングを説明する図である。
【図５】  二次スイッチの読み出しによる位相整合時のハイウェイタイミングの例を示す図である。
【図６】  一次スイッチの読み出しによる位相整合時のハイウェイタイミングの例を示す図である。
【図７】  ＳＣＭアドレスとハイウェイタイミングとの対応を例示する図である。
【図８】  一次スイッチと二次スイッチとによる位相整合時のタイムスロット変換を示す図である。
【図９】  従来のキャッチホン呼の接続の概要を示す図である。
【符号の説明】
１  空間スイッチ
２  時間スイッチ
３  二次スイッチ
４  一次スイッチ
５  位相調整用メモリ
【図１】
0003747378.tif 000002
【図２】
0003747378.tif 000003
【図３】
0003747378.tif 000004
【図４】
0003747378.tif 000005
【図５】
0003747378.tif 000006
【図６】
0003747378.tif 000007
【図７】
0003747378.tif 000008
【図８】
0003747378.tif 000009
【図９】
0003747378.tif 000010